(57)【要約】      （修正有）【課題】体外の血液流路上において血液と補液とを混合する新規な構造の混合用チャンバを提供する。【解決手段】血液の流入口１２と補液の流入口１４とが、筒形の周壁２０の内面２５において何れも周壁２０の中心軸Ｌからずれた方向に開口して周方向の液流動を生ずるように設けられた混合用チャンバ１０であって、血液の流入口１２と補液の流入口１４とが周壁２０の中心軸Ｌの方向で同じ高さに設けられていると共に、補液の流入口１４を通じての補液の流入方向となる補液の流入口１４の開口方向が血液の流入口１２を通じての血液の流入方向となる血液の流入口１２の開口方向に比して上方に向いている。【選択図】図４
2019063359.tif 000002
【特許請求の範囲】
【請求項１】
血液の流入口と補液の流入口とが、筒形の周壁の内面において何れも該周壁の中心軸からずれた方向に開口して周方向の液流動を生ずるように設けられた混合用チャンバであって、
前記血液の流入口と前記補液の流入口とが前記周壁の中心軸の方向で同じ高さに設けられていると共に、
該補液の流入口を通じての補液の流入方向となる該補液の流入口の開口方向が該血液の流入口を通じての血液の流入方向となる該血液の流入口の開口方向に比して上方に向いていることを特徴とする混合用チャンバ。
【請求項２】
前記補液の流入口の開口方向が、水平方向に対する上向きをプラス且つ下向きをマイナスとして、−４５〜＋４５度の範囲内に設定されている請求項１に記載の混合用チャンバ。
【請求項３】
前記血液の流入口の開口方向が、水平方向に対する上向きをプラス且つ下向きをマイナスとして、−４５〜０度の範囲内に設定されている請求項１又は２に記載の混合用チャンバ。
【請求項４】
前記血液の流入口の開口方向と前記補液の流入口の開口方向とにおいて、前記周壁に沿った周方向成分が互いに同じ向きとされている請求項１〜３の何れか１項に記載の混合用チャンバ。
【発明の詳細な説明】
【技術分野】
【０００１】
本発明は、例えば透析回路等に用いられて血液と補液とを混合する混合用チャンバに関する。
【背景技術】
【０００２】
従来から、治療に際して患者の体外に取り出した血液に、生理食塩水などの補液を加えて体内に戻す場合がある。例えば血液透析濾過に際しては、患者の体外に設けた血液流路上で、ダイアライザによる血液濾過を行なうと共に、透析液などを補液として血液に加えて患者に返血する。
【０００３】
ところで、血液流路上で補液を加えるに際しては、混合用のチャンバの上壁に補液流路をつないで、補液を上方から血液層に落下させることで血液と混合させることが一般的である。
【０００４】
しかしながら、補液を混合用のチャンバの上方から血液層に落下させる場合、血液と補液との安定した混合が実現され難いという問題があった。
【発明の概要】
【発明が解決しようとする課題】
【０００５】
本発明は、上述の事情を背景に為されたものであって、その解決課題は、体外の血液流路上において血液と補液とを混合する新規な構造の混合用チャンバを提供することにある。
【課題を解決するための手段】
【０００６】
本発明の第１の態様は、血液の流入口と補液の流入口とが、筒形の周壁の内面において何れも該周壁の中心軸からずれた方向に開口して周方向の液流動を生ずるように設けられた混合用チャンバであって、前記血液の流入口と前記補液の流入口とが前記周壁の中心軸の方向で同じ高さに設けられていると共に、該補液の流入口を通じての補液の流入方向となる該補液の流入口の開口方向が該血液の流入口を通じての血液の流入方向となる該血液の流入口の開口方向に比して上方に向いていることを特徴とするものである。
【０００７】
本態様に従う構造とされた混合用チャンバでは、チャンバ内で血液と補液が周方向に流動しつつ混ざり合うことで、良好な混合性が発揮され得る。また、補液の流入方向が血液の流入方向より上向きとされていることで、血液の流入口から流入する血液が補液の流入口から流入する補液に対して下方に潜り込むように流動しやすいことから、上層に血液が濃い層が生じにくく、血栓が生じるリスクを低減しつつ良好な混合性が発揮され得る。さらに、本態様では、血液と補液の各流入口が同じ高さとされていることから、それら流入口を上下に離して設けた場合に比べて、実質的な容量や流動長さを確保しつつ上下方向のチャンバサイズを小さくすることも可能になる。
【０００８】
本発明の第２の態様は、前記第１の態様に係る混合用チャンバにおいて、前記補液の流入口の開口方向が、水平方向に対する上向きをプラス且つ下向きをマイナスとして、−４５〜＋４５度の範囲内に設定されているものである。
【０００９】
本態様に従う構造とされた混合用チャンバによれば、補液の流入口の開口方向が水平方向に対して特定範囲内に設定されることで、チャンバ内における補液の周方向の流動がより安定して実現されて血液との混合性の向上が図られ得る。
【００１０】
本発明の第３の態様は、前記第１又は第２の態様に係る混合用チャンバにおいて、前記血液の流入口の開口方向が、水平方向に対する上向きをプラス且つ下向きをマイナスとして、−４５〜０度の範囲内に設定されているものである。
【００１１】
本態様に従う構造とされた混合用チャンバによれば、血液の流入口の開口方向が水平方向に対して特定範囲内に設定されることで、チャンバ内における血液の周方向の流動が安定して実現されて補液との混合性の向上が図られる。また、血液がチャンバ内で水平または下方に向けて流入されることで、流入した高濃度の血液が上方に流入せず、血栓が発生するおそれも低減され得る。
【００１２】
また、本発明では、前記血液の流入口の開口方向と前記補液の流入口の開口方向との相対的な高さ方向の傾斜角度の差が、５度以上に設定されている態様が好適に採用される。
【００１３】
本態様に従う構造とされた混合用チャンバによれば、血液の流入口からチャンバ内に流入された高濃度の血液を、補液によって血液濃度が薄まった混合層よりも下方へより効果的に位置させることができる。
【００１４】
本発明の第４の態様は、前記第１〜第３の何れかの態様に係る混合用チャンバにおいて、前記血液の流入口の開口方向と前記補液の流入口の開口方向とにおいて、前記周壁に沿った周方向成分が互いに同じ向きとされているものである。
【００１５】
本態様に従う構造とされた混合用チャンバによれば、血液の流入方向と補液の流入方向が周方向で同じとされることから、チャンバ内における血液と補液の流れにおいて乱流の発生が抑えられる。
【００１６】
また、本発明では、前記血液の流入口と前記補液の流入口とが、前記周壁において周方向で互いに離れた位置に設けられている態様が好適に採用される。
【００１７】
本態様に従う構造とされた混合用チャンバでは、血液と補液の各流入口を周方向に離すことで、それら流入口の形成が容易となる。また、血液と補液の各流入口の周方向における離隔距離を各流入口の傾斜角度や流量などを考慮して適切に設定することで、血液と補液との混合性の向上を図ったり、高濃度の血液の液面への露呈をより効果的に防止したりすることも可能になる。
【００１８】
また、本発明では、前記周壁の外周において前記血液の流入口から外方に延びる血液流路と前記補液の流入口から外方に延びる補液流路とが、例えば後述する実施形態の図２０〜２２に示されるように、該周壁の同じ側に向かって延び出して設けられている態様が好適に採用される。
【００１９】
本態様に従う構造とされた混合用チャンバによれば、例えば血液流路と補液流路とが相互に周壁の反対側に向かって延びる場合に比べて、外部に延びる血液流路や補液流路の取り回しを容易としたり混合用チャンバの設置用スペースを小さくしたりすることが可能になる。
【発明の効果】
【００２０】
本発明に従う構造とされた混合用チャンバによれば、血液と補液との混合性を向上させつつ、混合用チャンバの上下方向のサイズを小さく抑えることも可能になる。
【図面の簡単な説明】
【００２１】
【図１】本発明の１実施形態としての混合用チャンバを示す正面図。
【図２】図１に示された混合用チャンバの平面図。
【図３】図２におけるＩＩＩ−ＩＩＩ断面図。
【図４】図２におけるＩＶ−ＩＶ断面図。
【図５】図２におけるＶ−Ｖ断面図。
【図６】図１におけるＶＩ−ＶＩ断面図。
【図７】本発明の実施例１としての混合用チャンバにおけるシミュレーション結果を説明するための説明図。
【図８】図７におけるシミュレーション結果を別の方向から示した説明図。
【図９】本発明の実施例２としての混合用チャンバにおけるシミュレーション結果を説明するための説明図。
【図１０】図９におけるシミュレーション結果を別の方向から示した説明図。
【図１１】本発明の実施例３としての混合用チャンバにおけるシミュレーション結果を説明するための説明図。
【図１２】図１１におけるシミュレーション結果を別の方向から示した説明図。
【図１３】本発明の実施例４としての混合用チャンバにおけるシミュレーション結果を説明するための説明図。
【図１４】本発明の実施例５としての混合用チャンバにおけるシミュレーション結果を説明するための説明図。
【図１５】本発明の実施例６としての混合用チャンバにおけるシミュレーション結果を説明するための説明図。
【図１６】本発明の実施例７としての混合用チャンバにおけるシミュレーション結果を説明するための説明図。
【図１７】本発明の実施例８としての混合用チャンバにおけるシミュレーション結果を説明するための説明図。
【図１８】本発明の比較例としての混合用チャンバにおけるシミュレーション結果を説明するための説明図。
【図１９】図１８におけるシミュレーション結果を別の方向から示した説明図。
【図２０】本発明の別の実施形態としての混合用チャンバを示す平面図であって、図２に対応する図。
【図２１】本発明の更に別の実施形態としての混合用チャンバを示す正面図であって、図１に対応する図。
【図２２】図２１に示された混合用チャンバの平面図であって、図２に対応する図。
【図２３】本発明の別の実施例としての混合用チャンバにおけるシミュレーション結果を説明するための説明図。
【図２４】本発明の更に別の実施例としての混合用チャンバにおけるシミュレーション結果を説明するための説明図。
【発明を実施するための形態】
【００２２】
以下、本発明を更に具体的に明らかにするために、本発明の実施形態について、図面を参照しつつ、詳細に説明する。
【００２３】
先ず、図１〜６には、本発明の１実施形態としての混合用チャンバ１０が示されている。この混合用チャンバ１０は、例えば、透析液を体内に注入して体液を補充する血液透析濾過（オンラインＨＤＦ）用の装置の透析回路上に設けられており、当該混合用チャンバ１０内で血液と補液としての透析液等が混合されるようになっている。すなわち、混合用チャンバ１０は、血液の流入口である血液流入口１２と補液の流入口である補液流入口１４とを備えている。そして、これら血液流入口１２と補液流入口１４から流入せしめられた血液と補液が混合用チャンバ１０内で混合されて、血液と補液との混合液が、混合液流路１６を通じて、図示しないダイアライザや患者の血管へと送り戻される返血用の血液回路に送り出されるようになっている。なお、以下の説明において、中心軸方向とは、混合用チャンバ１０を構成するチャンバ本体１８の中心軸Ｌの延出方向となる図１中の上下方向をいう。また、上下方向とは、混合用チャンバ１０の使用時に略鉛直方向とされる図１中の上下方向をいう。さらに、水平方向とは混合用チャンバ１０の使用時に略水平方向とされるチャンバ本体１８の軸直角方向であって、例えば図１中の左右方向をいう。
【００２４】
より詳細には、チャンバ本体１８は、全体として筒形とされており、本実施形態では上下方向に延びる略円形の筒形状とされている。すなわち、チャンバ本体１８は、横断面が略円環形状とされた筒形の周壁２０を備えている。本実施形態では、当該周壁２０が、何れも略円筒形状とされた上側筒部２２と下側筒部２４とを含んで構成されており、これら上下筒部２２，２４が上下方向で相互に同軸的に連結されている。特に、本実施形態では、上側筒部２２の下開口部に対して下側筒部２４の上開口部が嵌め入れられており、必要に応じて圧入や接着、溶着などの手段により相互に固定されている。
【００２５】
なお、本実施形態では、上側筒部２２において、下側筒部２４の上開口部が嵌め入れられる下開口部の内周面が段差状に拡径されている。これにより、チャンバ本体１８の周壁２０の内面２５を形成する上側筒部２２の内径寸法と下側筒部２４の内径寸法とが略等しくされており、周壁２０の内面２５が、中心軸方向の略全長に亘って略滑らかで段差のない円筒状面とされている。
【００２６】
また、上側筒部２２は、逆カップ形状とされており、上側筒部２２の上開口部が円板形の上底壁部２６により閉塞されている。本実施形態では、上底壁部２６に、上下方向で貫通する３つの貫通孔２８ａ，２８ｂ，２８ｃが形成されている。そして、上底壁部２６の貫通孔２８ａ，２８ｂ，２８ｃには、上方に突出する硬質のポート３０ａ，３０ｂ，３０ｃが一体形成されている。さらに、これらポート３０ａ，３０ｂ，３０ｃには、それぞれ外方に延びる軟質のチューブ３２ａ，３２ｂ，３２ｃが接続されている。これにより、ポート３０ａとチューブ３２ａとを含んで圧力測定ライン３４が構成されている。また、ポート３０ｂとチューブ３２ｂとを含んで液面調整ライン３６が構成されている。更にまた、ポート３０ｃとチューブ３２ｃとを含んで薬剤注入ライン３８が構成されている。
【００２７】
例えば、圧力測定ライン３４を構成するチューブ３２ａにおいて、ポート３０ａと反対側の端部には、図示しない圧力センサが設けられており、チャンバ本体１８の内圧（後述する液面６４と上底壁部２６との軸方向間の空間６６における気圧）を測定することができるようになっている。なお、チューブ３２ａの中間部分に、例えば気体が通過可能とされ、且つ液体が通過不能とされるフィルタなどを設けてもよい。尤も、かかる圧力測定ライン３４は必須なものではなく、血液回路上の別部位に圧力測定手段を別途設けてもよい。
【００２８】
また、液面調整ライン３６を構成するチューブ３２ｂにおいて、ポート３０ｂと反対側の端部は外部空間に連通しており、チャンバ本体１８内に空気を供給等することができるようになっている。すなわち、チャンバ本体１８の内圧が上昇又は下降した際に、液面調整ライン３６を通じてチャンバ本体１８内の空気を給排することで、内圧の上昇や下降を回避することも可能である。また、かかるチューブ３２ｂに、例えばクランプ等のライン開閉手段や圧力調節手段などを設けてもよく、使用者が適宜に液面調整ライン３６の開閉操作や圧力調節を行ない得るようにしてもよい。
【００２９】
さらに、薬剤注入ライン３８を構成するチューブ３２ｃにおいて、ポート３０ｃと反対側の端部には、薬剤が封入されたバッグやシリンジなどが接続され得る。これにより、血液と補液の混合液中に、薬剤注入ライン３８を通じて薬剤などを適宜添加することも可能である。なお、ポート３０ｃの下方には、貫通孔２８ｃを下方に延長するオリフィス４０が設けられている。かかるオリフィス４０は、補液流入口１４より上方に設けられており、後述する補液ポート４８から流入する補液とオリフィス４０とが衝突しないように構成されている。オリフィス４０からは、薬剤注入ライン３８を通じて薬剤などが添加され得る。尤も、かかる薬剤注入ライン３８やオリフィス４０は必須なものではなく、特に、チャンバ本体１８内の液体の流れを阻害しないという観点で言えば、オリフィス４０は無い方が好ましい。また、補液流入口１４の開口方向の延長線上、即ち補液流入口１４から流入される補液の流線上には、オリフィス４０のような液体の流れを阻害する部材がなく、チャンバ本体１８がストレートの円筒状とされて、チャンバ本体１８の内面２５における湾曲面が位置することが好ましい。
【００３０】
一方、下側筒部２４は、略ストレートに延びる単管形状とされており、その下開口部に、全体として略漏斗状の流出ポート４２が接続されている。流出ポート４２は、大径の円筒形状とされた上開口部において下側筒部２４の下開口部に外嵌されて、必要に応じて圧入や接着、溶着などが施されることにより固定されている。また、下方に向かってテーパ状に絞られた小径の下開口部は、下方に突出する小径筒形状のポート部とされている。このポート部には、チューブ４４が接続されて外方に延びており、流出ポート４２の下端のポート部とチューブ４４とを含んで、混合用チャンバ１０（チャンバ本体１８）内で混合された血液と補液との混合液を送り出す混合液流路１６が構成されている。
【００３１】
また、流出ポート４２の内部には、フィルタ４５が装着されている。本実施形態では、フィルタ４５は、全体として中空の略円錐台形状とされており、フィルタ４５の大径側端部が流出ポート４２の内面に固定されている一方、フィルタ４５の小径側端部が下側筒部２４の下開口部を通じて下側筒部２４の内部にまで入り込んでいる。かかるフィルタ４５の周壁には無数のスリット状の小孔が設けられており、血液と補液との混合液がチャンバ本体１８からフィルタ４５を通じて混合液流路１６に移動する際に、混合液中の血栓や老廃物等の異物がフィルタ４５により濾し取られて、浄化された混合液が、混合液流路１６を通じてダイアライザや患者の血管へと戻る返血用の血液回路に送られるようになっている。なお、かかるフィルタ４５の形状や具体的構造は、設置位置や設置構造などを含めて限定されるものでないし、本発明においてフィルタ４５は必須なものでない。
【００３２】
以上の如きチャンバ本体１８の周壁２０の内面２５には、チャンバ本体１８内に血液を流入せしめる血液流入口１２と、チャンバ本体１８内に補液を流入せしめる補液流入口１４とが、周壁２０の高さ方向で、当該周壁２０の上端と下端との間に位置して中心軸方向（上下方向）で同じ高さ位置に設けられている。
【００３３】
特に本実施形態では、血液流入口１２と補液流入口１４が、相互に略同じ形状および大きさとされており、上下方向で全体的に重なる位置に形成されている。また、本実施形態では、血液流入口１２と補液流入口１４が、上側筒部２２（周壁２０）の内面２５に開口しており、上側筒部２２の周壁の厚さ方向で貫通して外部空間に連通されている。更に、本実施形態では、血液流入口１２と補液流入口１４における周壁２０の内面２５への各開口端が、周壁２０の内面２５において周方向で相互に１８０度離れた位置に形成されて、チャンバ本体１８の周壁２０の径方向で対向位置している。尤も、血液流入口１２や補液流入口１４の形状や大きさ、開口端の位置などは限定されるものでなく、血液や補液の流入量や速度、チャンバ本体１８の大きさや容積などを考慮して適宜に設定され得るし、血液流入口１２と補液流入口１４とにおいて互いに異なる形状等を設定することも可能である。
【００３４】
そして、上側筒部２２の外面において、血液流入口１２および補液流入口１４における開口端の周縁部からは、硬質の血液ポート４６および補液ポート４８が、上側筒部２２と一体的に形成されて外方に突出しており、これら血液ポート４６および補液ポート４８により、後述する血液流入口１２および補液流入口１４の開口方向を規定している。なお、本発明では、血液ポート４６や補液ポート４８、後述するチューブ５２やチューブ５４などで血液流入口１２および補液流入口１４の開口方向を規定することも可能である。これら血液ポート４６および補液ポート４８は、それぞれ略円筒形状とされており、本実施形態では、図６に示されるように、相互に略同形状とされた血液ポート４６および補液ポート４８が、軸方向視において上側筒部２２の周壁の接線方向で、且つ外方に向かって互いに反対側に延び出している。尤も、血液ポート４６および補液ポート４８は、周壁２０（上側筒部２２）の接線方向に延びる態様に限定されるものではなく、血液流入口１２と補液流入口１４とが周壁２０の中心軸Ｌからずれて開口していればよい。すなわち、血液ポート４６および補液ポート４８は、後述する血液流入口１２および補液流入口１４の開口方向の仮想延長線上にチャンバ本体１８の中心軸Ｌが位置しないように延びていればよい。仮想延長線につながるチャンバ本体１８の内面２５が流動方向を周方向に導く湾曲面であれば、自然とチャンバ本体１８内に流入した液体は周方向に流動される。なお、図６では、チューブ３２ａ，３２ｂ，３２ｃの図示を省略している。
【００３５】
すなわち、血液流入口１２からチャンバ本体１８内に流入される血液が、血液ポート４６による流動方向の設定作用により、軸方向視において周壁２０の周方向に向かうようになっている。また、補液流入口１４からチャンバ本体１８内に流入される補液が、補液ポート４８による流動方向の設定作用により、軸方向視において周壁２０の周方向に向かうようになっている。
【００３６】
なお、本実施形態では、血液ポート４６と補液ポート４８の各中心軸が、周壁２０の内面２５への略接線位置となるようにされており、血液ポート４６および補液ポート４８の内面において、血液および補液の流入方向の先端側且つ外周側には、傾斜案内面５０，５０が設けられている。本実施形態では、これら傾斜案内面５０，５０が、血液ポート４６と補液ポート４８の内面から血液流入口１２と補液流入口１４に向かって湾曲して延びる湾曲傾斜面とされている。これにより、各ポート４６，４８から導かれる血液や補液が、両ポート４６，４８の先端面に対して直接に打ち当たることなく、滑らかにチャンバ本体１８内に導かれて血液流入口１２と補液流入口１４から流入されるようになっている。
【００３７】
また、血液ポート４６と補液ポート４８には、それぞれ外部流路としての軟質のチューブ５２，５４が接続されている。これにより、血液ポート４６とそこに接続されるチューブ５２とを含んで血液流路５６が構成されているとともに、補液ポート４８とそこに接続されるチューブ５４とを含んで補液流路５８が構成されている。なお、これら軟質のチューブ５２，５４をチャンバ本体１８と一体的に形成されたフック等で固定して各流入口１２，１４の開口方向を規定することも可能であり、これにより、外方に突出するポート４６，４８を不要とすることもできる。
【００３８】
血液ポート４６と接続されたチューブ５２の外側の端部が、血液回路に接続されており、脱血後の血液またはダイアライザ通過後の血液が血液流路５６からチャンバ本体１８に流入せしめられるようになっている。したがって、血液流路５６内における血液の流動方向は、図６中の左方から右方への方向（図６中の白矢印Ｄ１）であり、血液流入口１２の開口方向も、チャンバ本体１８へ流入する血液の流動方向として当該方向とされている。
【００３９】
また、補液ポート４８と接続されたチューブ５４の外側の端部が、透析装置に接続されており、透析液が補液として補液流路５８内を流動してチャンバ本体１８内に流入せしめられるようになっている。したがって、補液流路５８内における補液の流動方向は、図６中の右方から左方への方向（図６中の白矢印Ｄ２）であり、補液流入口１４の開口方向も、チャンバ本体１８へ流入する補液の流動方向として当該方向とされている。
【００４０】
さらに、後述するように、血液流路５６内を流動する血液と補液流路５８内を流動する補液は、チャンバ本体１８において、それぞれ流出ポート４２が設けられた下方に向かって全体として周方向螺旋状に流動するようになっている。すなわち、本実施形態では、チャンバ本体１８内において血液と補液とが周方向で相互に同じ方向（図６中の白矢印Ｄ３が示す右回り）に流動するようになっており、血液流入口１２および補液流入口１４の開口方向も、周壁２０の周方向で相互に同じ方向とされている。
【００４１】
なお、チューブ５２やチューブ５４が挿入される血液ポート４６や補液ポート４８の端部開口部は内径寸法が拡径されており、各ポート４６，４８の内径寸法とチューブ５２，５４の内径寸法とが略等しくされて、血液や補液のスムーズな流動が妨げられないようにされている。
【００４２】
さらに、上側筒部２２の内面２５には、それぞれ血液流入口１２および補液流入口１４における内面２５での開口端の周縁部（開口周縁部）から周方向で一方の側に向かって所定長さで延びる凹溝状の案内溝６０，６２が形成されている。これら案内溝６０，６２は、血液ポート４６および補液ポート４８の延長線方向に向かって、血液流入口１２および補液流入口１４から内面２５の周上に延びている。本実施形態では、これら案内溝６０，６２が、それぞれ流入口１２，１４の直径寸法と略同じ幅寸法をもって、且つ上側筒部２２の周方向で１／１０〜１周（図示のものは略１／４周）の周方向長さで形成されている。
【００４３】
なお、後述するように、血液流路５６（血液ポート４６）や補液流路５８（補液ポート４８）が、上側筒部２２（チャンバ本体１８）の中心軸Ｌに対して傾斜して設けられていることから、案内溝６０，６２も、上側筒部２２（チャンバ本体１８）の水平方向に対して傾斜して延びている。また、案内溝６０，６２は、先端側において次第に浅底となる傾斜底面とされており、浅底になるに従って溝幅寸法も次第に小さくされていても良い。
【００４４】
ここにおいて、血液流入口１２と補液流入口１４は、上側筒部２２の中心軸方向（上下方向）で略同じ高さに形成されているとともに、水平面に対して中心軸方向（上下方向）に傾斜して開口している。すなわち、血液流入口１２に対して血液の流入方向となる開口方向を与える血液ポート４６が、水平方向に対して所定の角度Ａ（図３参照）をもって形成されている。また、補液流入口１４に対して補液の流入方向となる開口方向を与える補液ポート４８が、水平方向に対して所定の角度Ｂ（図５参照）をもって形成されている。換言すれば、本実施形態では血液流路５６が水平方向に対して角度Ａをもって延びているとともに、補液流路５８が水平方向に対して角度Ｂをもって延びている。
【００４５】
そして、補液流路５８の延出方向（補液流入口１４の開口方向）が、血液流路５６の延出方向（血液流入口１２の開口方向）に比して上方を向いている。要するに、水平方向に対して上向きをプラス且つ下向きをマイナスとした場合に、血液流路５６の傾斜角度Ａは補液流路５８の傾斜角度Ｂよりも小さく（Ａ＜Ｂ）されている。
【００４６】
かかる血液流路５６の水平方向に対する傾斜角度（血液流入口１２の開口方向における水平方向に対する傾斜角度）Ａは、水平方向に対して上向きをプラス且つ下向きをマイナスとした場合に、０度以下（Ａ≦０°）とされることが好適である。すなわち、血液流路５６の傾斜角度Ａを０度以下とすることで、後述する血液と補液との混合時に血液濃度が低い混合層を安定して上層に形成することができて、血栓の発生が効果的に防止され得る。また、かかる傾斜角度Ａは、−４５度以上（−４５°≦Ａ）とされることが好適である。すなわち、血液流路５６の傾斜角度Ａを−４５度以上とすることで、後述する血液と補液との混合時において、血液の流れにおける水平方向の力ベクトル成分を上下方向の力ベクトル成分よりも大きくすることができる。これにより、血液がより安定して周方向螺旋状に流動するとともに、上下方向での乱流が効果的に抑制され得る。
【００４７】
一方、補液流路５８の水平方向に対する傾斜角度（補液流入口１４の開口方向における水平方向に対する傾斜角度）Ｂは、水平方向に対して上向きをプラス且つ下向きをマイナスとした場合に、−４５度以上（−４５°≦Ｂ）とされることが好適である。また、かかる傾斜角度Ｂは、＋４５度以下（Ｂ≦＋４５°）とされることが好適である。すなわち、補液流路５８の傾斜角度Ｂを−４５度以上や＋４５度以下とすることで、後述する血液と補液との混合時において、補液の流れにおける水平方向の力ベクトル成分を上下方向の力ベクトル成分よりも大きくすることができる。これにより、補液がより安定して周方向螺旋状に流動するとともに、上下方向での乱流が効果的に抑制され得る。さらに、かかる傾斜角度Ｂは、−１０度以上（−１０°≦Ｂ）とされることがより好適であり、０度以上（０°≦Ｂ）とされることがより一層好適である。
【００４８】
なお、本実施形態では、血液流路５６の水平方向に対する傾斜角度Ａが、−２０度（Ａ＝−２０°）とされているとともに、補液流路５８の水平方向に対する傾斜角度Ｂが、＋２０度（Ｂ＝＋２０°）とされている。すなわち、血液流入口１２の開口方向が水平方向に対して−２０度の傾斜角度をもって下方に向いているとともに、補液流入口１４の開口方向が水平方向に対して＋２０度の傾斜角度をもって上方に向いている。また、血液流路５６と補液流路５８との相対的な角度差αが４０度（α＝Ｂ−Ａ＝２０−（−２０）＝４０°（０＜α））とされている。
【００４９】
以上の如き構造とされた混合用チャンバ１０のチャンバ本体１８には、血液流路５６における血液流入口１２および補液流路５８における補液流入口１４を通じて血液および補液が流入せしめられる。これら血液流路５６および補液流路５８は、チャンバ本体１８の接線方向に延びていることから、血液流路５６および補液流路５８を流動せしめられた血液および補液は、チャンバ本体１８の内面２５に沿って、周方向に流動して混合せしめられるようになっている。すなわち、チャンバ本体１８は上下方向に延びていると共に、流出ポート４２が各流入口１２，１４よりも下方に設けられていることから、重力作用に従って、混合液が下方に向かって周方向螺旋状に流動するようになっている。
【００５０】
また、本実施形態では、チャンバ本体１８の内面２５において、血液流入口１２および補液流入口１４から周方向に延びる案内溝６０，６２が設けられていることから、血液および補液が、よりスムーズにチャンバ本体１８内に流入せしめられて、チャンバ本体１８の内面２５に沿うようにして周方向に流動せしめられ得る。
【００５１】
なお、チャンバ本体１８において、血液と補液との混合液の液面６４の高さ位置（中心軸方向位置）は、血液流入口１２および補液流入口１４よりも上方に設定されることが好ましい。また、当該液面６４は、チャンバ本体１８の上底壁部２６よりも下方に位置していることが好適であり、液面６４と上底壁部２６との軸方向間に所定の大きさの空間６６が設けられることが好ましい。さらに、血液流入口１２および補液流入口１４の開口端は、チャンバ本体１８の上底壁部２６より４ｍｍ以上下方に位置することが好ましい。更にまた、チャンバ本体１８で血液と補液が混合された混合液の流出ポート４２は、本実施形態においてチャンバ本体１８の底面中央に設けられているが、例えばチャンバ本体１８の底面の端部や、チャンバ本体１８の周壁２０に開口して流出ポート４２が設けられていてもよい。
【００５２】
［実施例１］
上述の如き構造とされた前記実施形態の混合用チャンバ１０について、コンピューターを用いたシミュレーションにより、血液および補液の流動態様を検討した。そのシミュレーション結果を図７，８に示す。なお、図７，８は同じ結果を示すものであり、同一のシミュレーション結果を異なる視点から示すものである。また、本シミュレーションにおいては、ソフトウェアとして、ＡＮＳＹＳ社製「ＡＮＳＹＳ（登録商標）Ｆｌｕｅｎｔ（登録商標）」を使用した。ここで、混合液の液面６４は、血液流入口１２および補液流入口１４における開口周縁部の上部から上方に０．５６ｍｍの位置にあるように設定した。さらに、周壁２０の内面２５における血液流入口１２および補液流入口１４の面積（血液ポート４６および補液ポート４８における流路に直交する断面積）は、それぞれ９．０７９ｃｍ2 に設定した。更にまた、血液流路５６および補液流路５８を流動する血液および補液の流量は、何れも２００ｃｍ3 ／ｍｉｎに設定した。
【００５３】
図７，８は、特許出願用の白黒図面としたことで分かり難い（カラー図面を出願と同時に参考資料として提出済）が、図７，８中の左のバーに示されているのが血液濃度であり、図中の混合液中における血液濃度が、左のバーと対応する色で表示されている。すなわち、左のバー中、下方に行くほど、要するに血液濃度が小さくなるほど濃い色で表示されるようになっており、それに対応して図中の混合液中においても血液濃度の小さい部分が濃い色で表示されている。また、血液流路５６の血液流入口１２および補液流路５８の補液流入口１４から延び出す複数の線は、シミュレーションの計算に基づいて算出された流動流体を示すものである。
【００５４】
図７，８に示されているように、血液流路５６の血液流入口１２を通じてチャンバ本体１８内に流入する血液と補液流路５８の補液流入口１４を通じてチャンバ本体１８内に流入する補液とは、それぞれ下方に向かって周方向螺旋状に流動しており、相互に混合せしめられて混合液として周方向螺旋状に流動することを確認できた。
【００５５】
ここにおいて、特に図７に示されているように、混合液の液面６４は、濃い色で示されており、血液濃度が小さい、換言すれば補液濃度が高いことが理解される。すなわち、血液流入口１２および補液流入口１４を、それぞれ傾斜角度Ａ（−２０度）およびＢ（＋２０度）をもって設けることで、混合液の上側部分に補液層（血液流路５６から流入される血液よりも血液濃度が相対的に薄い混合層）が形成されて、高濃度の血液の液面６４における空気との接触が防止され得ることを確認できた。
【００５６】
［実施例２］
前記実施例１の混合用チャンバにおいて、血液流入口１２の傾斜角度Ａを−３０度、補液流入口１４の傾斜角度Ｂを＋３０度（即ち、血液流入口１２と補液流入口１４との相対的な角度差αが６０度（α＝Ｂ−Ａ＝３０−（−３０）＝６０°（０＜α）））とした。その他の形状や条件などは、実施例１と同じにしたものについて、コンピューターによるシミュレーション結果を図９，１０に示す。
【００５７】
かかるシミュレーションの結果、特に図９に示されているように、混合液の液面６４が、前記実施例１に比して、より濃い色で示されていることが確認できた。すなわち、水平方向に対する血液流入口１２および補液流入口１４の傾斜角度Ａを小さく（より下向きに），傾斜角度Ｂを大きく（より上向きに）する（血液流入口１２と補液流入口１４との相対的な角度差を大きくする）ことで、混合液の上側部分に補液層（血液流路５６から流入される血液よりも血液濃度が相対的に薄い混合層）をより安定して形成できることが理解される。
【００５８】
［実施例３］
前記実施例１の混合用チャンバにおいて、血液流入口１２の傾斜角度Ａを−１０度、補液流入口１４の傾斜角度Ｂを＋１０度（即ち、血液流入口１２と補液流入口１４との相対的な角度差αが２０度（α＝Ｂ−Ａ＝１０−（−１０）＝２０°（０＜α）））とした。その他の形状や条件などは、実施例１と同じにしたものについて、コンピューターによるシミュレーション結果を図１１，１２に示す。
【００５９】
かかるシミュレーションの結果、特に図１１に示されているように、混合液の液面６４が、前記実施例１に比して、より薄い色で示されていることが確認できた。すなわち、混合液の液面６４において血液の割合が増えている（補液の割合が減っている）ことが理解される。しかしながら、血液濃度は十分に小さいことから、水平方向に対する血液流入口１２の傾斜角度Ａを−１０度、水平方向に対する補液流入口１４の傾斜角度Ｂを＋１０度としても、血栓防止などの効果は有効に発揮されるものと考えられる。
【００６０】
［実施例４］
前記実施例１の混合用チャンバにおいて、混合液の液面６４を、血液流入口１２および補液流入口１４における開口周縁部の上部から上方に１０ｍｍの位置に設定した。血液流入口１２の傾斜角度Ａ（−２０度）や補液流入口１４の傾斜角度Ｂ（＋２０度）を含めて、その他の形状や条件などは、実施例１と同じにした。そのシミュレーション結果を図１３に示す。
【００６１】
かかるシミュレーションの結果、図１３に示されているように、混合液の液面６４において外周部分は、前記実施例１に比して色が薄くなっているが、中央部分はより濃い色で示されていることがわかる。すなわち、血液流入口１２および補液流入口１４から液面６４までの上下寸法を大きくすることで、液面６４に至る血液の濃度をより小さくすることができて、混合液の上側部分がより安定して補液層で覆われ得る。
【００６２】
［実施例５］
前記実施例４の混合用チャンバにおいて、血液流入口１２の傾斜角度Ａを−３度、補液流入口１４の傾斜角度Ｂを＋３度（即ち、血液流入口１２と補液流入口１４との相対的な角度差αが６度（α＝Ｂ−Ａ＝３−（−３）＝６°（０＜α）））とした。その他の形状や条件などは、実施例４と同じにした。そのシミュレーション結果を図１４に示す。
【００６３】
かかるシミュレーションの結果、図１４に示されているように、混合液の液面６４が、例えば図１１（前記実施例３）に比して、部分的に、より濃い色で示されていることがわかる。すなわち、前記実施例３に比して、水平方向に対する血液流入口１２の傾斜角度Ａや水平方向に対する補液流入口１４の傾斜角度Ｂを小さく抑えたとしても、血栓防止などの効果が、前記実施例３などと同様に発揮される。すなわち、補液流入口１４の開口方向が血液流入口１２の開口方向に比して上向きであれば、血液が補液の下方に潜り込むように流動しやすくなり、その結果、上層に血液濃度の濃い部分が形成されるおそれを低減することができるから、補液ポート４８（補液流入口１４の開口方向）は血液ポート４６（血液流入口１２の開口方向）に比して多少なりとも上向きでありさえすれば、上層に血液濃度の濃い部分が形成されるおそれを低減する効果が発揮される。
【００６４】
［実施例６］
前記実施例５の混合用チャンバにおいて、血液流入口１２の傾斜角度Ａを０度、補液流入口１４の傾斜角度Ｂを＋５度（即ち、血液流入口１２と補液流入口１４との相対的な角度差αが５度（α＝Ｂ−Ａ＝５−０＝５°（０＜α）））とした。その他の形状や条件などは、実施例５と同じにした。そのシミュレーション結果を図１５に示す。
【００６５】
かかるシミュレーションの結果から、血液流入口１２が水平（Ａ＝０°）であっても、水平方向に対する補液流入口１４の傾斜角度Ｂが０度より大きい（０°＜Ｂ）場合（補液流入口１４の開口方向が血液流入口１２の開口方向に比して上方に向いている場合）には、混合液の上側部分が補液層で覆われることから、血栓防止効果が発揮され得る。
【００６６】
［実施例７］
前記実施例５の混合用チャンバにおいて、血液流入口１２の傾斜角度Ａを−５度、補液流入口１４の傾斜角度Ｂを０度（即ち、血液流入口１２と補液流入口１４との相対的な角度差αが５度（α＝Ｂ−Ａ＝０−（−５）＝５°（０＜α）））とした。その他の形状や条件などは、実施例５と同じにした。そのシミュレーション結果を図１６に示す。
【００６７】
かかるシミュレーションの結果から、補液流入口１４が水平（Ｂ＝０°）であっても、水平方向に対する血液流入口１２の傾斜角度Ａが０度より小さい（Ａ＜０°）場合（補液流入口１４の開口方向が血液流入口１２の開口方向に比して上方に向いている場合）には、混合液の上側部分が補液層で覆われることから、血栓防止効果が発揮され得る。
【００６８】
［実施例８］
前記実施例５の混合用チャンバにおいて、血液流入口１２の傾斜角度Ａを−１５度、補液流入口１４の傾斜角度Ｂを−１０度（即ち、血液流入口１２と補液流入口１４との相対的な角度差αが５度（α＝Ｂ−Ａ＝−１０−（−１５）＝５°（０＜α）））とした。その他の形状や条件などは、実施例５と同じにした。そのシミュレーション結果を図１７に示す。
【００６９】
かかるシミュレーションの結果から、水平方向に対する血液流入口１２の傾斜角度Ａおよび補液流入口１４の傾斜角度Ｂが何れも０度より小さい（Ａ＜０°，Ｂ＜０°）場合でも、補液流入口１４の傾斜角度Ｂが血液流入口１２の傾斜角度Ａよりも大きければ（補液流入口１４の開口方向が血液流入口１２の開口方向に比して上方に向いていれば、即ちＡ＜Ｂ）、混合液の上側部分が補液層で覆われることから、血栓防止効果が発揮され得る。
【００７０】
［比較例］
本発明の比較例として、前記実施例１の混合用チャンバにおいて、血液流入口１２の傾斜角度Ａを０度、補液流入口１４の傾斜角度Ｂを０度（即ち、血液流入口１２の傾斜角度Ａが補液流入口１４の傾斜角度Ｂより小さくなっていない、α＝Ｂ−Ａ＝０−０＝０°）とした。その他の形状や条件などは、実施例１と同じにした。そのシミュレーション結果を図１８，１９に示す。なお、図１８では、図中右側の流路が血液流路５６、図中左側の流路が補液流路５８となっている。
【００７１】
かかるシミュレーションの結果から、出願用の白黒図面であるから分かり難いが、図１８に示されているように、液面６４の外周部分において、混合液の上側部分に血液層と補液層が略同程度位置していることが確認できる。すなわち、本比較例のように血液流入口１２と補液流入口１４が同じ高さ位置にあり、且つ水平方向に対する傾斜角度Ａ，Ｂも等しくされる場合には、血液層が補液層の下方に潜り込むような流動が安定的に起こらず、補液流入口１４の開口方向が血液流入口１２の開口方向に比して上方に向いている場合に比べて、液面６４上に高濃度の血液が露呈するおそれがあることから好ましくない。
【００７２】
以上のことから、本発明に係る混合用チャンバ１０では、前記実施例１〜８と前記比較例との結果からも明らかなように、補液流入口１４の開口方向が血液流入口１２の開口方向に比して上方に向いていることで、チャンバ本体１８内に血液および補液を流入させた際に血液が補液よりも下方に潜り込むような流動が生ぜしめられて、液面６４における高濃度の血液の露呈が回避されやすくなる。これにより、高濃度の血液がチャンバ本体１８内の空気と接触することに伴う血栓の発生が防止され得る。このように、血液流入口１２と補液流入口１４の傾斜角度Ａ，Ｂを相対的に異ならせることで、血液流路５６から流入される血液よりも血液濃度が相対的に薄い混合層を上方に安定して位置させることができて、血液流入口１２と補液流入口１４とを同じ高さ位置に設けることも可能となる。これにより、混合用チャンバ１０の上下方向寸法を小さく抑えることもできる。
【００７３】
また、本発明に係る混合用チャンバ１０では、チャンバ本体１８内に血液および補液を流入させた際に血液が補液よりも下方に潜り込むような流動が生じつつ、血液と補液とが、下方に向かって周方向螺旋状に流動せしめられる。これにより、気泡の発生を低減しつつ、血液と補液との混合性が十分に確保される。特に、本実施形態では、周壁２０の内面２５に、血液流入口１２および補液流入口１４に連続して周方向に延びる案内溝６０，６２が設けられて血液および補液の流動が案内せしめられることから、血液および補液の周方向螺旋状の流動が安定して実現され得る。また、血液ポート４６および補液ポート４８の内面には、血液流入口１２および補液流入口１４に向かって湾曲する傾斜案内面５０，５０が設けられていることから、血液および補液が、一層安定して周方向螺旋状に流動せしめられる。
【００７４】
さらに、前記実施例６，７（図１５，１６）の結果などから、例えば血液流入口１２と補液流入口１４の開口方向の一方が水平であったとしても、血液流入口１２の開口方向と補液流入口１４の開口方向との高さ方向（上下方向）における相対的な傾斜角度差（Ｂ−Ａ）が５度以上（５°≦（Ｂ−Ａ））であれば、液面６４への高濃度の血液の露呈が回避されやすく、血液が空気に接触することに伴う血栓の発生が防止され得る。更にまた、前記実施例８（図１７）の結果などから、例えば血液流入口１２と補液流入口１４との開口方向が水平方向に対して何れも下向き（Ａ＜０°，Ｂ＜０°）とされる場合であっても、血液流入口１２の開口方向と補液流入口１４の開口方向との高さ方向（上下方向）における相対的な傾斜角度差（Ｂ−Ａ）があれば、液面６４への高濃度の血液の露呈が回避されて、血液が空気に接触することに伴う血栓の発生が防止され得る。
【００７５】
また、本実施形態では、血液流入口１２と補液流入口１４との開口方向の周方向成分が、周壁２０の周方向で相互に同じ向き（図６中の白矢印Ｄ３の方向）とされていることから、血液の流れと補液の流れとが相互に周方向で反対向きにぶつかることがなく、乱流の発生が回避され得る。これにより、意図せず血液が液面６４上に露出して血栓が形成されることなどが防止され得る。
【００７６】
さらに、本実施形態では、血液流入口１２と補液流入口１４とが周壁２０の周方向で相互に離隔した位置に形成されており、特に本実施形態では、相互に周方向で１８０度離れた位置に形成されている。これにより、血液と補液とがそれぞれ十分な流動長さをもって混合せしめられることから、混合性の向上が図られるとともに、乱流の発生が防止され得る。
【００７７】
以上、本発明の実施形態および実施例について説明してきたが、本発明はかかる実施形態や実施例における具体的な記載によって限定的に解釈されるものでなく、当業者の知識に基づいて種々なる変更、修正、改良などを加えた態様で実施可能である。
【００７８】
たとえば、前記実施形態では、血液流路５６（血液ポート４６）と補液流路５８（補液ポート４８）とが軸直角方向で相互に反対方向に延びていたが、図２０に示される混合用チャンバ７０のように、周壁２０の同じ側（図２０中の右方）、即ち軸直角方向で相互に同じ方向に延びていてもよい。かかる場合には、血液の流れる周方向と補液の流れる周方向とが相互に反対方向となるが、血液流入口１２の傾斜角度Ａと補液流入口１４の傾斜角度Ｂとを相互に異ならせることで、血液の流れと補液の流れとがぶつかることが回避されて、またはぶつかる量を小さく抑えることができて、乱流の発生が回避、または抑制され得る。あるいは、図２１，２２に示される混合用チャンバ８０のように、例えば血液ポート４６と補液ポート４８の一方を周壁２０を中心として周方向に延びるように形成することで、血液流路５６および補液流路５８が周壁２０に対して同じ側に延びて、且つ血液および補液の流動方向が周壁２０の周方向で同じになるようにしてもよい。または、図２１，２２中に二点鎖線で示されるように、血液ポート４６および補液ポート４８の形状は前記実施形態と同様にして、チューブ５２とチューブ５４の一方を周方向に延びるように形成することで、血液流路５６と補液流路５８との延びる方向が、周壁２０に対して同じ側となるようにしてもよい。
【００７９】
また、前記実施形態では、血液流入口１２と補液流入口１４とが、周壁２０の周方向で相互に１８０度離れた位置に設けられていたが、かかる態様に限定されるものではない。すなわち、図２３，２４に示されるシミュレーション結果のように、例えば血液流入口１２と補液流入口１４とは周壁２０の周方向で相互に２７０度や３１５度離れた位置に設けられてもよく、血液流入口１２と補液流入口１４との周方向での離隔距離は何等限定されるものではない。例えば、血液流入口１２と補液流入口１４とは周壁２０の周方向で相互に１５度や４５度離れた位置に設けられてもよいし、或いは実質的に同じ周方向位置にあってもよいし、例えば軸方向視で略同一の開口方向を向くように略隣接していてもよい。なお、図２３，２４に示される態様では、水平方向に対する血液流入口１２の傾斜角度Ａが−２０度（Ａ＝−２０°）、補液流入口１４の傾斜角度Ｂが＋２０度（Ｂ＝＋２０°）とされている。
【００８０】
さらに、前記実施形態や前記実施例１〜７（図１〜１６）、上記図２０〜２４に示される態様では、血液流入口１２の傾斜角度Ａが０度以下（Ａ≦０°）とされるとともに、補液流入口１４の傾斜角度Ｂが０度以上（０°≦Ｂ）とされていた。また、前記実施例８（図１７）では、血液流入口１２と補液流入口１４の傾斜角度Ａ，Ｂが何れも０度より小さく（Ａ＜０°，Ｂ＜０°）されていたが、血液流入口１２と補液流入口１４の傾斜角度Ａ，Ｂは、これらの態様に限定されるものではない。すなわち、血液流入口１２と補液流入口１４の傾斜角度Ａ，Ｂは、何れも０度より大きくてもよく（０°＜Ａ，０°＜Ｂ）、かかる場合であっても、補液流入口１４の開口方向が血液流入口１２の開口方向に比して上方に向いている（Ａ＜Ｂ）ことで、前記実施形態などと同様の効果が発揮され得る。
【００８１】
更にまた、前記実施形態や実施例、図２０〜２４に示される態様では、何れもチャンバ本体１８が、略真円の断面形状を有する筒形とされていたが、チャンバ本体１８の断面形状は、楕円や半円、多角形またはこれらの組み合わせなどであってもよい。
【００８２】
また、前記実施形態や実施例、図２０〜２４に示される態様では、血液流入口１２と補液流入口１４とが相互に同形状とされて上下方向で全体的に重なる位置に形成されていたが、かかる態様に限定されるものではない。本発明における血液流入口１２と補液流入口１４では、小型化の観点から周壁２０の内面２５への各開口端を同じ高さに設けることがより好ましく、周壁２０の内面２５への各開口端を同じ高さに設けるに際して、例えば相互に異なる形状とされてもよく、また、同形状または異形状とされた血液流入口１２と補液流入口１４とが、上下方向で少なくともそれらの一部において相互に重なる位置に形成されていればよい。
【００８３】
さらに、前記実施例では、チャンバ本体１８内に流入せしめられる血液および補液の流量が何れも２００ｃｍ3 ／ｍｉｎとされた例を示したが、血液および補液の流量は何等限定されるものではなく、適宜設定され得る。また、前記実施形態や実施例、図２０〜２４に示される態様では、血液流入口１２を含む血液流路５６と補液流入口１４を含む補液流路５８とが相互に同形状とされていたが、これら血液流路５６や補液流路５８の内径および／または形状を相互に異ならせてもよく、これにより例えば血液および補液の流量や流速などを調整するようにしてもよい。なお、血液の流量に対して補液の流量を大きくすることで、補液層を血液層に比して上方に、より安定して位置せしめることも可能である。
【００８４】
更にまた、前記実施形態や実施例、図２０〜２４に示される態様では、混合用チャンバ１０，７０が、オンラインＨＤＦに利用される例を示したが、本発明に係る混合用チャンバは、オフラインＨＤＦにも適用され得る。すなわち、補液として透析装置中の透析液を利用するものに限定されるものでなく、補液としてバッグ中に封入された薬液などを利用するようになっていてもよい。尤も、本発明は、血液回路上に用いられる混合用チャンバであれば適用され得る。
【符号の説明】
【００８５】
１０，７０，８０：混合用チャンバ、１２：血液流入口、１４：補液流入口、２０：周壁、２５：内面、４６：血液ポート、４８：補液ポート、５６：血液流路、５８：補液流路
【図１】
2019063359.tif 000003
【図２】
2019063359.tif 000004
【図３】
2019063359.tif 000005
【図４】
2019063359.tif 000006
【図５】
2019063359.tif 000007
【図６】
2019063359.tif 000008
【図７】
2019063359.tif 000009
【図８】
2019063359.tif 000010
【図９】
2019063359.tif 000011
【図１０】
2019063359.tif 000012
【図１１】
2019063359.tif 000013
【図１２】
2019063359.tif 000014
【図１３】
2019063359.tif 000015
【図１４】
2019063359.tif 000016
【図１５】
2019063359.tif 000017
【図１６】
2019063359.tif 000018
【図１７】
2019063359.tif 000019
【図１８】
2019063359.tif 000020
【図１９】
2019063359.tif 000021
【図２０】
2019063359.tif 000022
【図２１】
2019063359.tif 000023
【図２２】
2019063359.tif 000024
【図２３】
2019063359.tif 000025
【図２４】
2019063359.tif 000026